(57)【要約】【課題】複数の操作員で同一操作票を修正している場合でも、操作員間での操作票の変更内容の引き継ぎ作業を軽減し、系統状態変更により修正した内容及び理由を容易に把握できる電力系統監視制御装置を提供することである。【解決手段】電力系統状態と現在系統状態とに変化があるかを検出する系統状態変化検出手段１０１と、系統状態の変更を操作前系統状態データに反映して系統操作票を実行した後の操作実行後系統状態を作成する操作実行後系統状態作成手段１０４と、操作実行後系統状態での停電状態や潮流計算結果から修正が必要かをチェックし修正が必要な場合は系統操作票修正案を作成し修正案が必要ではないが潮流計算結果での異常項目があるときはその異常項目をガイダンスとして作成する系統操作票修正案作成手段１０６と、系統操作票修正案を系統操作票とともに表示する系統操作票表示手段１０７とを備える。【選択図】  図１
2012029410.tif 000002
【特許請求の範囲】
【請求項１】
電力系統設備の点検などの作業のための電力系統機器の入切操作の手順を記述した系統操作票を作成する系統操作表作成手段と、電力系統より受信した電力系統状態と現在系統状態とに変化があるかを検出する系統状態変化検出手段と、前記系統状態変化検出手段で検出した系統状態の変更を操作前系統状態データに反映して前記系統操作票を実行した後の操作実行後系統状態を作成する操作実行後系統状態作成手段と、前記操作実行後系統状態作成手段で作成した操作実行後系統状態を用いて潮流計算を実行する潮流計算手段と、前記操作実行後系統状態での停電状態や潮流計算結果から修正が必要かをチェックし修正が必要な場合は系統操作票修正案を作成し修正案が必要ではないが潮流計算結果での異常項目があるときはその異常項目をガイダンスとして作成する系統操作票修正案作成手段と、前記系統操作票修正案を系統操作票とともに表示する系統操作票表示手段とを備えたことを特徴とする電力系統監視制御装置。
【請求項２】
前記系統操作票表示手段は、前記系統操作票修正案で既存の系統操作票の修正を行う際に、操作員にガイダンス表示することを特徴とする請求項１に記載の電力系統監視制御装置。
【請求項３】
前記系統操作票修正案作成手段は、系統状態変化により系統操作票修正案を作成するとともに、修正理由となる系統状態変化内容も系統操作票修正案に保存しておき、系統操作票修正案から既存の系統操作票を修正したときはその履歴を系統操作票修正履歴として保存しておくことを特徴とする請求項２に記載の電力系統監視制御装置。
【発明の詳細な説明】
【技術分野】
【０００１】
本発明は、電力系統の操作手順を記述した系統操作票を修正する系統操作票修正支援機能を備えた電力系統監視制御装置に関する。
【背景技術】
【０００２】
電力監視制御装置は、電力系統設備の点検などの作業のための電力系統機器の入切操作の手順を記述した系統操作票を有している。このような電力監視制御装置として、新しい点検停止作業計画が発生した場合、その件名を追加し、それに対応する操作手順表を作成する時、既に作成済で保存してある関連の点検停止作業計画件名との重複性、連続性を認識し、操作前系統状態を自動的に作成しオペレータの負担を軽減させるようにしたものがある（例えば、特許文献１参照）。
【０００３】
すなわち、電力監視制御装置における系統操作票を新規作成する時には、既に作成済みの系統操作票との関連性をチェックして作成し、既に作成済みの系統操作票については、操作実行日時までに事故状変や個別操作により系統状態が変更となる度に、操作員が系統操作票の修正を行っている。
【先行技術文献】
【特許文献】
【０００４】
【特許文献１】特開平７−１６３０５２号公報
【発明の概要】
【発明が解決しようとする課題】
【０００５】
しかし、特許文献１のものでは、事故状変や個別操作により系統状態が変更となる度に、操作員が系統操作票の修正を行わなければならないので、修正作業に多大の労力を必要とし、修正作業に時間を費やしている。また、複数の操作員で修正作業を行っているため、操作員間で系統操作票を修正した内容を引き継ぎが必要で、操作員間での引き継ぎ作業にもかなりの時間を費やしている。従って、事故や個別操作により系統状態が変更された場合、作成済みの系統操作票について、変更された系統状態において修正必要な手順か否かをチェックすることが必要となる。
【０００６】
本発明の目的は、複数の操作員で同一操作票を修正している場合でも、操作員間での操作票の変更内容の引き継ぎ作業を軽減できるとともに、系統状態変更により修正した内容及び理由を容易に把握できる電力系統監視制御装置を提供することである。
【課題を解決するための手段】
【０００７】
請求項１の発明に係る電力系統監視制御装置は、電力系統設備の点検などの作業のための電力系統機器の入切操作の手順を記述した系統操作票を作成する系統操作表作成手段と、電力系統より受信した電力系統状態と現在系統状態とに変化があるかを検出する系統状態変化検出手段と、前記系統状態変化検出手段で検出した系統状態の変更を操作前系統状態データに反映して前記系統操作票を実行した後の操作実行後系統状態を作成する操作実行後系統状態作成手段と、前記操作実行後系統状態作成手段で作成した操作実行後系統状態を用いて潮流計算を実行する潮流計算手段と、前記操作実行後系統状態での停電状態や潮流計算結果から修正が必要かをチェックし修正が必要な場合は系統操作票修正案を作成し修正案が必要ではないが潮流計算結果での異常項目があるときはその異常項目をガイダンスとして作成する系統操作票修正案作成手段と、前記系統操作票修正案を系統操作票とともに表示する系統操作票表示手段とを備えたことを特徴とする。
【０００８】
請求項２の発明に係る電力系統監視制御装置は、請求項１の発明において、前記系統操作票表示手段は、前記系統操作票修正案で既存の系統操作票の修正を行う際に、操作員にガイダンス表示することを特徴とする。
【０００９】
請求項３の発明に係る電力系統監視制御装置は、請求項２の発明において、前記系統操作票修正案作成手段は、系統状態変化により系統操作票修正案を作成するとともに、修正理由となる系統状態変化内容も系統操作票修正案に保存しておき、系統操作票修正案から既存の系統操作票を修正したときはその履歴を系統操作票修正履歴として保存しておくことを特徴とする。
【発明の効果】
【００１０】
本発明によれば、複数の操作員で同一操作票を修正している場合でも、操作員間での操作票の変更内容の引き継ぎ作業を軽減できるとともに、系統状態変更により修正した内容及び理由を容易に把握できる。
【図面の簡単な説明】
【００１１】
【図１】本発明の実施の形態に係る電力系統監視制御装置の実施例１の構成図。
【図２】本発明の実施例１の電力系統監視制御装置の系統状態変化検出から系統操作票修正案作成までの処理内容を示すフローチャート。
【図３】本発明の実施例１の電力系統監視制御装置での系統操作票作成の操作前系統の一例を示す系統図。
【図４】図３に示したＣ線２回線作業停止の系統操作票の一例を示す説明図。
【図５】図４に示したＣ線２回線作業停止の系統操作票の実行後の系統図。
【図６】図５に示した系統状態変更後に図４に示したＣ線２回線作業停止の系統操作票を実行した後の系統図。
【図７】本発明の第１の実施形態における系統操作票修正案データの構成例の説明図。
【図８】本発明の実施の形態に係る電力系統監視制御装置の実施例２の構成図。
【図９】本発明の実施の形態に係る電力系統監視制御装置の実施例２における系統操作票修正案データの構成例の説明図。
【図１０】本発明の実施の形態に係る電力系統監視制御装置の実施例３の構成図。
【図１１】本発明の実施の形態に係る電力系統監視制御装置の実施例３における系統操作票修正案データの構成例の説明図。
【図１２】本発明の実施の形態に係る電力系統監視制御装置の実施例３における系統操作票修正履歴データの構成例の説明図。
【発明を実施するための形態】
【００１２】
以下、本発明の実施の形態に係る電力系統監視制御装置の実施例について説明する。図１は、本発明の実施の形態に係る電力系統監視制御装置の実施例１の構成図である。
【００１３】
電力系統監視制御装置１は、電力系統状態を伝送する機能を有する伝送装置２を介して受信した電力系統状態データと、現在系統状態データ２０１とに変化があるかを検出する系統状態変化検出手段１０１と、入力装置１１からの系統操作票の作成のための操作員からの要求を受付ける系統操作票入力手段１０２と、系統操作票入力手段１０２からの入力で系統操作票を作成する系統操作票作成手段１０３と、系統状態変化検出手段１０１で検出した系統状態の変更を操作前系統状態データ２０３に反映して、系統操作票作成手段１０３で作成した系統操作票データ２０２を実行した後の操作実行後系統状態データ２０４を作成する操作実行後系統状態作成手段１０４と、操作実行後系統状態作成手段１０４で作成した操作実行後系統状態データ２０４を用いて潮流計算を実行する潮流計算手段１０５と、操作実行後系統状態データ２０４での系統状態や潮流計算手段１０５の潮流計算結果から系統操作票に修正が必要かをチェックし、修正が必要な場合は系統操作票修正案データ２０５を作成する系統操作票修正案作成手段１０６と、系統操作票修正案作成手段１０６で作成した系統操作票修正案データ２０５を系統操作票データ２０２とともに表示装置１２に表示する系統操作票表示手段１０７とを有する。
【００１４】
次に、実施例１の電力系統監視制御装置１の作用を説明する。図１の電力系統監視制御装置１において、系統操作票作成手段１０３は系統操作票を作成するものである。系統操作票は、電力系統設備の点検などの作業のための遮断器や断路器等の電力系統機器の入切操作の手順を記述したものである。系統状態変化検出手段１０１は電力系統状態を伝送する機能を有する伝送装置２から受信した電力系統状態データを現在系統状態データ２０１と比較し、系統状態が変更された場合は操作実行後系統状態作成手段１０４に系統状態の変更情報を通知する。そして、操作実行後系統状態作成手段１０４は、通知された系統状態の変更情報を操作前系統状態データ２０３に反映して、系統操作票作成手段１０３で作成した系統操作票データ２０２を実行した後の操作実行後系統状態データ２０４を作成する。
【００１５】
そして、系統操作票修正案作成手段１０６は系統操作票作成手段１０３で作成して保存してある系統操作票データ２０２の修正が必要かを操作実行後系統状態データ２０４と潮流計算手段１０５で計算した結果から判定し、修正が必要な場合は系統操作票修正案データ２０５を作成する。そして、作成した系統操作票修正案データ２０５とともに系統操作票データ２０２を系統操作票表示手段１０７で表示装置１２に表示して操作員に通知する。
【００１６】
図２は、本発明の実施例１の電力系統監視制御装置の系統状態変化検出から系統操作票修正案作成までの処理内容を示すフローチャートである。
【００１７】
ステップＳ１では、系統状態変化情報を系統状態変化検出手段１０１から状変（状態変化）を受取り、系統状態が変化した設備に関連する系統操作票を系統操作票データ２０２から取り出す処理である。次からのステップはここで取り出した操作票についての処理である。
【００１８】
ステップＳ２は、操作前系統状態において該当設備の状態が状変の状態と同じかを判断する処理であり、状態が異なる場合はステップＳ３に進み、同一の場合は処理を終了する。
【００１９】
ステップＳ３は、状変した状態で操作前系統状態を変更して、作成済みの操作票の模擬実行を行い、操作票の実行後の操作実行後系統状態データ２０４を作成する処理である。
【００２０】
ステップＳ４は、状変した内容と同じ操作手順が操作票に含まれているかをチェックする処理であり、同方向操作の手順があればステップＳ５に進み、同方向操作の手順がない場合は、ステップＳ６に進む。
【００２１】
ステップＳ５は、同方向操作の手順は削除する系統操作票修正案データ２０５に保存する処理である。
【００２２】
ステップＳ６は、ステップＳ３で作成した操作実行後系統状態データ２０４で、状変により、予定外の停電箇所があるかをチェックする処理であり、停電箇所があればステップＳ７に進み、停電箇所がない場合はステップＳ９に進む。
【００２３】
ステップＳ７は、予定外の停電箇所を復旧する手順を系統操作票修正案データ２０５に保存する処理である。
【００２４】
ステップＳ８は、ステップＳ７で作成した修正案を実行して、操作実行後系統状態データ２０４の再作成を行う。
【００２５】
ステップＳ９は、操作実行後系統状態データ２０４で潮流計算を実施する処理である。
【００２６】
ステップＳ１０は、潮流計算結果で異常項目があり、修正案の作成が必要であればステップＳ１１に進み、修正案の作成が必要でない場合は処理を終了する。
【００２７】
ステップＳ１１は、潮流計算結果の異常項目を解消するための手順を系統操作票修正案データ２０５に保存する処理である。
【００２８】
図３は本発明の実施例１の電力系統監視制御装置での系統操作票作成の操作前系統の一例を示す系統図、図４は図３に示したＣ線の２回線作業停止作業の系統操作票の一例を示す説明図である。図３に示す系統図において、図４に示すＣ線の両回線停止作業の系統操作票を作成して、その系統操作票を実行したとすると、図５に示す系統図となる。
【００２９】
図５は図４に示したＣ線２回線作業停止の系統操作票の実行後の系統図、図６は図５に示した系統状態変更後に図４に示すＣ線２回線作業停止の系統操作票を実行した後の系統図である。
【００３０】
例えば、Ｅ変  Ｃ線  ２ＬＣＢの「入」→「切」の系統状態変化を受け取ったとすると、図４の系統操作票の（１３）の手順が同方向操作手順になるため、手順から削除する修正案を系統操作票修正案データ２０５に保存する。また、Ｆ変  Ｉ線 １Ｌ２Ｌ両回線のＣＢの「入」→「切」の系統状態変化を受け取ったとすると、図４の操作票を実行すると、図６のようにＧ線とＬ線で停電が発生するため、その停電復旧のための例えばＦ変電所  Ｈ線の両回線のＣＢの「切」→「入」の手順を修正案として、系統操作票修正案データ２０５に保存する。
【００３１】
そして、その停電復旧の手順を実行し、潮流計算をした時にＥ変電所の母線で電圧逸脱が発生した場合、Ｅ変電所の母線の電圧逸脱を解消するために最適潮流計算を潮流計算手段１０５で実施し、その最適潮流計算結果から電圧逸脱したＥ変電所の母線に関連する調相設備の投入／開放操作とタップ制御の手順を修正案として追加作成し、系統操作票修正案データ２０５に保存する。
【００３２】
また、ガイダンス表示するために潮流計算で過負荷発生設備や、該当系統操作票に関連しない電圧逸脱設備の情報も図７に示すような構成で系統操作票修正案データ２０５に保存する。
【００３３】
実施例１によれば、事故状変や個別操作で系統状態が変更されると修正が必要な系統操作票を自動で検出して修正案が作成される。または、系統操作票での過負荷発生有無などのガイダンスも表示されるので、操作員による系統操作票修正作業を軽減することができる。
【００３４】
次に、本発明の実施の形態に係る電力系統監視制御装置の実施例２を説明する。図８は、本発明の実施の形態に係る電力系統監視制御装置の実施例２の構成図である。この実施例２は、図１に示した実施例１に対して、系統操作票修正案作成手段１０６で系統操作票修正案を図９に示すような構成例で系統操作票修正案データ２０５を保存し、系統操作票修正案を操作員が系統操作票入力手段１０２を用いて採用する系統操作票修正案を選択することにより、既存の系統操作票２０２と操作前系統状態２０３とを更新する機能を設けたものである。図１と同一要素には、同一符号を付し重複する説明は省略する。
【００３５】
系統操作票修正案作成手段１０６において、系統操作票修正案として状変情報も図９に示すような構成例で系統操作票修正案データ２０５を保存する。そして、系統操作票修正案作成手段１０６で系統操作票修正案データ２０５を作成した場合、系統操作票の一覧を系統操作票表示手段１０７により表示装置１２に表示したとき、修正案がありの系統操作票は例えば色を替えて表示するなど、操作員に系統状態変更による系統操作票の修正が必要であることを知らせる。
【００３６】
そして、入力装置１１から系統操作票入力手段１０２を用いて修正案で採用する操作手順を選択する。選択された操作手順で修正した場合に系統操作票の手順チェックを行い、手順チェックにおいての異常有無をガイダンス表示し、既存の系統操作票に反映するかどうかを操作員が選択する。操作員が反映するを選択すると、系統操作票作成手段１０３は既存の系統操作票２０２を更新する。また、操作員の指示により系統操作票修正案データ２０５に保存していた状変情報で操作前系統状態２０３も更新する。
【００３７】
実施例２によれば、系統操作票の一覧で操作票に対して系統状態変更による修正要否がわかる。また、ガイダンスに従って、既存の系統操作票へ修正案のうち採用する操作手順を選択し、修正案の一部だけでも既存の系統操作票に反映して、系統操作票の修正を容易に行うことができる。
【００３８】
次に、本発明の実施の形態に係る電力系統監視制御装置の実施例３を説明する。図１０は、本発明の実施の形態に係る電力系統監視制御装置の実施例３の構成図である。
【００３９】
この実施例３は、図８に示した実施例２に対して、系統操作票修正案作成手段１０６で系統操作票修正案を図１１に示すような構成例で系統操作票修正案データ２０５を保存する。そして、系統操作票修正案で系統操作票を修正した時に、系統操作票修正履歴データ２０６に図１２に示すような構成例で修正内容と修正理由を自動保存する機能を設けたものである。図８と同一要素には、同一符号を付し重複する説明は省略する。
【００４０】
系統操作票修正案作成手段１０６において、系統操作票修正案として、修正理由も図１１に示すような構成例で系統操作票修正案データ２０５を保存する。そのことにより、系統操作票修正案で系統操作票を修正した時に、図１２に示すような構成例で系統操作票修正履歴データ２０６に修正理由、修正内容の修正履歴を自動保存する。そして、系統操作票表示手段１０７で保存している系統操作票修正履歴２０６を表示する。
【００４１】
実施例３によれば、系統操作票修正案で系統操作票を修正した時は、修正した内容と系統状態変更による変更理由を系統操作票修正履歴データ２０６に自動で保存されることで、複数の操作員で同一系統操作票を修正していても、引継ぎは系統操作票修正履歴を見るだけで何のためにどのような修正を行ったがわかるため、系統操作票修正における操作員間の引継ぎ作業を軽減することができる。
【００４２】
以上述べたように、本発明の実施の形態によれば、事故や個別操作により系統状態が変更された場合、作成済みの系統操作票について、変更された系統状態において修正必要な手順かをチェックし、修正必要な場合には、操作票の修正案を作成して、オペレータに操作票の修正ガイダンスを表示する機能を提供するともに、系統状態変更により修正した内容及び理由を自動保存するので、複数の操作員で同一操作票を修正している場合でも、操作員間での操作票の変更内容の引き継ぎ作業を軽減できるとともに、系統状態変更により修正した内容及び理由を容易に把握できる。
【符号の説明】
【００４３】
１…電力系統監視制御装置、２…伝送装置、１１…入力装置、１２…表示装置、１０１  …系統状態変化検出手段、１０２…系統操作票入力手段、１０３…系統操作票作成手段、１０４…操作実行後系統状態作成手段、１０５…潮流計算手段、１０６…系統操作票修正案作成手段、１０７…系統操作票表示手段、２０１…現在系統状態データ、２０２…系統操作票データ、２０３…操作前系統状態データ、２０４…操作実行後系統状態データ、２０５…系統操作票修正案データ、２０６…系統操作票修正履歴データ
【図１】
2012029410.tif 000003
【図２】
2012029410.tif 000004
【図３】
2012029410.tif 000005
【図４】
2012029410.tif 000006
【図５】
2012029410.tif 000007
【図６】
2012029410.tif 000008
【図７】
2012029410.tif 000009
【図８】
2012029410.tif 000010
【図９】
2012029410.tif 000011
【図１０】
2012029410.tif 000012
【図１１】
2012029410.tif 000013
【図１２】
2012029410.tif 000014